(57)【要約】【課題】シール材を用いなくてもパネルの端部を超えてパネルの下方に雨水が伝わりにくい屋根構造を提供する。【解決手段】適宜間隔をおいて立設された支柱１に枠材２を介してパネル３が取付けられた屋根構造Ｐであって、枠材２の側部２１に形成された段部２２に、山形に折曲されたパネル３の側端部３１が載置されると共に、段部２２の下壁２４には長手方向に沿って立上片２５が立設され、前記立上片２５がパネル３の側端部３１の山形内部に位置するように屋根構造Ｐを構成する。【選択図】  図１
2010150785.tif 000002
【特許請求の範囲】
【請求項１】
適宜間隔をおいて立設された支柱に枠材を介してパネルが取付けられた屋根構造であって、前記枠材の側部に形成された段部に、山形に折曲されたパネルの側端部が載置されると共に、前記段部の下壁には長手方向に沿って立上片が立設され、該立上片がパネルの前記側端部の山形内部に位置するようになされたことを特徴とする屋根構造。
【請求項２】
前記段部には、該段部の上部を覆う庇部が側方に向けて突設されていることを特徴とする屋根構造。
【発明の詳細な説明】
【技術分野】
【０００１】
本発明は、自転車置場、カーポート、バス停留所、渡り廊下、地下道の入口、公等の休憩所などに用いられる組立式のシェルターに関して、特に屋根構造に関するものである。
【背景技術】
【０００２】
一般に、組立式のシェルターにおいては、平板状のパネルを左右方向に連設して屋根が形成されており、パネルどうしを連結したり、或いはパネルの端部を枠体等に取付けたりなされている。従って、前記連結部や取付部からは、雨水等が浸入して屋根の下方に流れ、屋根の下で雨を回避している利用者にその雨水が当たる恐れあるため、雨仕舞いの構造として様々なものが提案されている。
【０００３】
例えば、鋼材により形成した隣接する梁の上面に屋根板の縁部を架設し、梁の上面と螺子により梁の上面に止着される屋根板押え部材により屋根板の縁部を挟着した簡易構築物における屋根板取付構造において、梁の上面に上方が開口した長溝を有するアルミ型材で形成された屋根受け部材を一体的に固着し、該屋根受け部材の長溝に屋根板押え部材を止着する螺子を螺合した屋根板取付構造が提案されている（特許文献１参照）。
【０００４】
又、簡易屋根の上枠に設けられる凹部に嵌め込まれて装着され、内部にパネルの上縁が嵌め込まれる内空部を有する合成樹脂製のグレチャンを備え、該グレチャンが、前記凹部内への挿入を容易化するテーパー部と、前記凹部の入口の対をなす係止片にそれぞれ係止される一対の鍔と、該各鍔と前記テーパー部との間にそれぞれ形成される平面部と、該各平面部における途中の部分にそれぞれ平面部の幅よりはるかに小幅に形成された突起とからなり、該各突起は、少なくともテーパー部側の面をＲ面または傾斜面に形成し、該各突起と鍔との間の平面部を前記係止片による挟持部とした簡易屋根が提案されている（特許文献２参照。）。
【０００５】
更に本出願人においても、支柱の上方に設けられた桁梁に屋根パネルを取付ける組立屋根の施工方法であって、前記屋根パネルは、対向した一対の母屋の間に軒母屋を差し渡した枠体の上に、屋根材の両側に屋根枠を取付けた屋根部材を、屋根枠の側端を母屋の側端より若干内側にして載せて取付けたものであり、前記支柱の上方に対向した一対の桁梁を取り付け、前記屋根パネルを吊り上げてこの対向した桁梁の間に複数枚架け渡し、屋根パネルの母屋の側端面と隣接する屋根パネルの母屋の側端面とを接合し、母屋の両先端部を一対の桁梁に接合して屋根パネルを桁梁に取り付け、この屋根パネルの屋根枠と隣接する屋根パネルの屋根枠との間にゴムパッキンを水密に挿入する組立屋根の施工方法を提案している（特許文献３参照。）。
【０００６】
【特許文献１】実開平６−７８４４０号公報
【特許文献２】特開平１０−２９９１４８号公報
【特許文献３】特開平８−９３１１２号公報
【発明の開示】
【発明が解決しようとする課題】
【０００７】
しかしながら、前記の屋根板取付構造には次のような問題点があった。すなわち屋根板の縁部はシール材を介して梁と屋根板押さえ部材とにより挟着されるため、シール材が経時的に劣化すると、隙間から雨水等が浸入して屋根板の下方に伝う恐れがあり、シール材の劣化具合を確認して、シール材を交換する必要があり、その点が煩わしいものであった。
【０００８】
又前記の簡易屋根においては、上下のシール用フィンの間にパネルの端部を通すため、パネルの縁部の切断部における張り等によりシール用フィンに傷が生じ、そこから雨水等が浸入しやすくなる恐れがあり、加えて、グレチャンの長手方向に対する撓みとパネルの同方向の撓み状態の違いから隙間が生じ、その隙間から雨水等が浸入しやすくなる恐れがあった。
【０００９】
本発明は、前記の如き問題点を解消し、シール材を用いなくてもパネルの端部を超えてパネルの下方に雨水が伝わりにくい屋根構造を提供せんとするものである。
【課題を解決するための手段】
【００１０】
上記目的を達成するために、本発明は次のような構成としている。
すなわちこの発明に係る屋根構造は、適宜間隔をおいて立設された支柱に枠材を介してパネルが取付けられた屋根構造であって、前記枠材の側部に形成された段部に、山形に折曲されたパネルの側端部が載置されると共に、前記段部の下壁には長手方向に沿って立上片が立設され、該立上片がパネルの前記側端部の山形内部に位置するようになされたことを特徴とするものである。
【００１１】
本発明に係る屋根構造において、前記段部に、該段部の上部を覆う庇部を側方に向けて突設させるように構成してもよい。
【発明の効果】
【００１２】
本発明によれば、枠材の側部に形成された段部に、山形に折曲されたパネルの側端部が載置されると共に、前記段部の下壁には長手方向に沿って立上片が立設され、該立上片がパネルの前記側端部の山形内部に位置するようになされているので、パネルの中央部の雨水が前記側端部の山形を超えて端縁側には浸入しにくくなり、又雨水が該山形部を超えても立上片によって内側への雨水の浸入が遮られ、これによりパネル下方側への浸入を妨げることができる。
【００１３】
本発明に係る屋根構造において、前記段部に、該段部の上部を覆う庇部を側方に向けて突設させるように構成すれば、枠材上方からの雨水や、枠材上方に配置された梁材や柱材を伝って流下する雨水等もパネルの中央側に流れやすくなるので、パネル下方側へ雨水がより浸入しにくくなり、より好ましい。
【発明を実施するための最良の形態】
【００１４】
次に、本発明を実施するための最良の形態について図面を参照し、具体的に説明する。
【００１５】
すなわち、図１は本発明に係る屋根構造の実施の一形態を示す概略斜視図、図２は図１の正面図、図３は図１の側面図、図４は図１の平面図、図５は図４のＡ−Ａ断面における拡大断面図、図６は図１の屋根材の前後方向の拡大断面図、図７は図１の屋根材の左右方向の拡大断面図である。
【００１６】
図面において、１は地表から立設された支柱、２は支柱に取付けられる枠材２は、枠材２を介して支柱１の間に取付けられたパネルであり、本発明に係る屋根構造Ｐは、支柱１、枠材２、及びパネル３から主に構成されたものであり、枠材２の側部に形成された段部３にパネル３の側端部が載置されるものである。
【００１７】
図１〜８は、本発明に係る屋根構造Ｐの実施の一形態を示す説明図であり、図１は概略斜視図、図２は正面図、図３は側面図、図４は平面図である。支柱１は金属製管を適宜長さに切断して作成され、上端部は天板が取付けられて塞がれている。支柱１は、強度的に安定しておりコストの安い鋼管が好適に用いられるが、鋼管に限るものではなく、アルミニウム合金型材、ステンレス鋼管でもよい。
【００１８】
支柱１は、上部から前方に向けて延びる梁材１１が取付けられている本実施形態においては、梁材１１は、支柱１と同様に鋼管を適宜長さに切断して作成されたものである。梁材１１の支柱１側の端部には取付プレート１１ａが取付けられ、もう一端は、前面板により塞がれている。ている。梁材１１は、取付プレートから支柱１の前面を経て支柱１の背面側に配置された補強プレート１１ｂを通るボルトＢ１と、ボルトＢ１に締結されるナットＮ１とによって支柱１の上部前面に取付けられたものであるが、例えば、支柱１と梁材１１とが溶接により接合されたものでもよく、梁材１１が支柱１の上端に載置されて取付けられたものでもよい。
【００１９】
梁材１１は、支柱１と同様に強度的に安定しておりコストの安い鋼管が好適に用いられるが、鋼管に限るものではなく、アルミニウム合金型材、ステンレス鋼管でもよい。
【００２０】
枠材２は、支柱１に取付けられ前後方向に配置された長尺体であり、一般には、アルミニウム合金等や合成樹脂等から押出成型された長尺体を適宜長さに切断して用いられる。本実施形態では、アルミニウム合金の押出型材から形成されたものであり、断面形状の設計が比較的容易であり、軽量で強度が高いものを比較的容易に製造することができるので好適に用いることができるが、例えば、ステンレス合金等の他の金属からなる押出型材でもよく、或いは、鋼板等の板材を適宜組み合わせて形成したものでもよい。
【００２１】
次に、支柱１に対する枠材２の取付方法について詳しく説明する。前記取付方法は、特に限定されるものではないが、本実施形態においては吊り部材１２を介して支柱１と枠材２とが連結されている。
【００２２】
すなわち、吊り部材１２は、梁材１１に固定される固定部１２ａと、枠材４を吊り下げる為の吊り部１２ｂとを備えたものである。吊り部材１２は、本実施形態では、鋼板をプレス加工等により成形されたものであり、横板状の固定部１２ａとその下方に前後に間隔をおいて横板状の前後の吊り部１２ｂと、固定部１２ａと前後の吊り部１２ｂとを連結する連結部１２ｃとからなる側面視ハット状に形成されている。吊り部材１２は、固定部１２ａの下方から梁材１１を上下に貫通するボルトＢ２とナットＮ２とにより、梁材１１に固定されているが、梁材１１の側面に固定されるようにしてもよい。
【００２３】
吊り部材１２は、前記した鋼板に限るものではなく、ステンレス合金、アルミニウム合金等から成形されてものよいが、強度的に安定でコストの安い鋼板が好適に用いられる。又吊り部材１２は、少なくとも１個の固定部１２ａと１個の吊り部１２ｂを備えていればよく、例えば、１個の固定部１２ａと１個の吊り部１２ｂと２個の固定部１２ｃとからなる側面視口字状に形成されたものでもよい。
【００２４】
次に、吊り部材１２と枠材２との関係を詳しく説明する。図５は、吊り部材１２に対すると枠材２の吊り下げ構造を示す説明図であり、図５は吊り部材１２付近の拡大断面図である。
【００２５】
枠材２の上部には、上方に向けて開口すると共に前後方向に沿って形成されたガイド溝２３に沿って移動可能に取付けられた嵌合部材１３が取付けられ、該嵌合部材１３が吊り部材１２に連結されることにより、吊り部材１２に対して前後方向に移動可能となされたものである。これにより、吊り部材１２が取付けられた梁材１１に対して、枠材２が前後方向に移動可能となされる。
【００２６】
ガイド溝２３内に嵌合部材１３となされたボルト１４の頭部１５が配置され、ボルト１４の螺子部１６がガイド溝２３の開口部から突出されている。ガイド溝２３は、開口部の開口幅は奥部より幅狭となされた袋溝状となされ、ボルト１４の頭部１５がガイド溝２３から抜け出さないようになされている。そして、この螺子部１６が吊り部材１２の吊り部１４に設けられた透孔を通ってナットＮ３に螺入されている。この構造により、ボルト１４にナットＮ３を締結すれば、吊り部材１２に対して枠材２が固定され、ナットＮを緩めれば、吊り部材１２に対して枠材２が前後方向に移動可能となされる。
【００２７】
図５に示すように、枠材２を左右に並べて配置する場合は、隣接する枠材の隙間から雨水等が浸入して屋根構造Ｐの下方にまで伝わる恐れがあるので、隣り合う枠材２の側部に側方に向けて開口する溝部を長手方向に設け、この両溝部に差し渡される上方に開口した樋Ｔを溝部の長手方向に沿って配置して、前記雨水を樋Ｔで受けるようにしてもよい。
【００２８】
又枠材２は、枠材２の側部２１には少なくとも側方に開口した段部２２が形成されている。そして、この段部２２にパネル３の側端部が載置されるようになされたものである。
【００２９】
パネル３は、平板状であり、前後方向に向けて上方にむけて突出した山形に折曲されたパネル３の側端部３１が前記枠材２の段部２２に載置されたものである。
【００３０】
パネル３は、一般には、アルミニウム合金の板材のプレス加工等により形成されるものであり、耐食性に優れ単位重量が軽いので好適に用いることができ、更に表面に塗装等を施してもよいが、例えば、押出型材等から形成される成型品を用いてもよく、或いは、他の金属や合成樹脂等を用いてもよい。又、パネル３は本実施形態では、パネル３の側端部を左右に配置して、パネル３を左右方向に連設すると共に、パネル３の山形の側端部を隣合うパネル３の山形の側端部に重合するようになされている。この構造により、剛性が高められると共に、パネル３を順次その端部の突条どうしを重合させて施工できるので、雨水等が重合部の外側から内側へは浸入しにくくなり、又屋根構造Ｐの左右方向の長さに対応しやすい構造となる。
【００３１】
図６，７は、屋根構造Ｐの主要部を説明するための説明図であり、前後方向及び左右方向の断面図であり、又、図７において、（ａ）は屋根材の左右両端に亘る断面図、（ｂ）は（ａ）において支持部材５付近の部分拡大図である。パネル３は、図６，７に示すように、左右端部が載置される枠材２と、前後端部に配置される前横桟４１及び後横桟４２とからなる矩形状の枠体４によって支持されている。
【００３２】
前横桟４１は、後部の長手方向に向けて段部４３が形成され、この段部４３にパネル３の前端部が載置されてビス止めされている。又、前横桟４１には、前部から段部４３の上方を経てパネル３の前端部を覆うカバー材４４が取付けられている。これにより、意匠性を高めると共に、段部４３から内部に水が浸入しにくくなるようになされている尚本実施形態のように、段部４３に載置されたパネル３の前端部の先端を上方に向けて折り曲げるようにすれば、雨水等が折り曲げ部を超えて、上面材４１と段部４３との間を通って下部に流下しにくくなる。
【００３３】
後横桟４２は、上部にパネル３の後部が載置され、後部には雨受け４５が取付けられており、パネル３に沿って後方に流れる雨水等を排水パイプ４６に導水するようになされている。
【００３４】
前横桟４１及び後横桟４２は、一般には、アルミニウム合金の押出型材からなる長尺体を適宜長さに切断して用いられるものであり、断面形状の設計が比較的容易であり、軽量で強度が高いものを比較的容易に製造することができるので好適に用いることができるが、アルミニウム合金以外の金属や合成樹脂からなる押出成型材等を用いてもよい。
【００３５】
枠体４の下部には、下面材４７が取付けられている。下面材４７は、合成樹脂からなるシート状の芯材の表裏にアルミニウム箔が貼着された積層板が左右方向に連設されたものである。下面材４７は本形態に限定されるものではないが、アルミニウム箔のサンドイッチ構造により剛性が高められ、更に、芯材が合成樹脂であることにより同じ厚さの金属板よりも重量が軽くなる本実施形態が好適に用いられる。尚、前記連設部においては、下面材４７の端面どうしが当接されたものでもよいが、外観上面一と視認される程度であれば、熱膨張や加工誤差等を吸収するために隙間を設けてもよい。
【００３６】
枠体４に対する下面材４７の取付方法は、特に限定されるものではないが、本実施形態では、枠体４を構成する枠材２、前横桟４１及び後横桟４２の内側部に突設部５１，５２，５３を設け、この突設部５１，５２，５３から下面材４７に向けてブラインドリベット等の先端が被接合部材の内部に留まり外部に出ない接合部材を用いれば、下面材４７の下面に接合部材の先端が露出しないので、意匠性を損なうことがなく好ましい。
【００３７】
次に枠材２とパネル３との関係について詳しく説明する。枠材２の段部２２には、下壁２４から長手方向に沿って立上片２５が立設されている。そして、山形に折曲されたパネル３の側端部３１が前記段部２２上に載置された際に、前記立上片２５が側端部３１の山形の内部に位置するようになされている。これにより、パネル３の中央部側の雨水が側端部３１を超えて端縁側には浸入しにくくなり、又雨水が側端部３１を超えても立上片２５によって内側への雨水の浸入が遮られ、これによりパネル下方側への浸入を妨げることができる。又、側端部３１の山形内部の幅寸法を適宜設定することによって、施工時の左右方向の施工誤差や加工誤差や、施工後のパネルの熱膨張伸縮による寸法変化が生じても、立上片２５は側端部３１の山形の内部に位置させることが可能となる。更に、施工時に、立上片２５が側端部３１の山形の内部に位置しているかどうか容易に認識することができ、パネル３の中央側に向けて引張力等が生じても容易には外れず、仮に比較的大きな引張力が生じても、側端部３１の山形の端縁側が立上片２５に係止されるので、容易には外れなくなり好ましい。
【００３８】
又、図５に示すように、パネル３の一方の山形の側端部３１と、他方の山形の側端部３１とは、重合可能であり何れか一方の側端部３１は他方より小形であるため、小形の側端部３１が枠材２の段部２２に載置される際は、立上片２５が前記側端部３１の内側に配置されるように、側端部３１の内部の高さを立上片２５の立設高さより高くする方が好ましい。
【００３９】
枠材２は、後方に向けてわずかに傾斜した水切り勾配が形成されて支柱１に取付けられている。これにより、パネル３の側端部３１を超えて段部２２の側壁２６と立上片２５との間に流れ込んだ雨水も後方に流れるのでパネル３上に滞留することがない。
【００４０】
このような構造により、パネル３の上を流れる雨水の流れ方向と交差する方向に対して、パネル３の側端部３１の端縁側からパネル３の下方側に雨水が浸入することを防ぐことができる。又このような構造により、パネル３の上を流れる雨水の流れ方向と交差する方向に対して、パネル３の側端部３１の端縁側からパネル３の下方側に雨水が浸入することを防ぐことができる。
【００４１】
又、枠材２には、段部２２の上部を覆う庇部２７が側方に向けて突設されている。そして、下壁２４に立設された立上片２５は庇部２７の下方に位置している。これにより、枠材２の上方から流れてくる雨水、或いは支柱１の梁材１１，吊り部材１２を伝ってくる雨水は、庇部２７によりパネル３の中央側に流れるため、パネル３の側端部３１側には雨水が向かいにくく、側端部３１の端縁側からパネル３の下部へ雨水が流れることをより効果的に防ぐことができる。
【図面の簡単な説明】
【００４２】
【図１】本発明に係る簡易屋根の実施の一形態を示す概略斜視図である。
【図２】図１の正面図である。
【図３】図１の側面図である。
【図４】図１の平面図である。
【図５】図４のＡ−Ａ断面における拡大断面図である。
【図６】屋根材の前後方向の拡大断面図である。
【図７】屋根材の左右方向の拡大断面図である。
【符号の説明】
【００４３】
１    支柱
１１  梁材
２    枠材
２１  側部
２２  段部
２５  立上片
２７  庇部
３    パネル
４    枠体
４１  前横桟
４２  後横桟
Ｐ    屋根構造
【図１】
2010150785.tif 000003
【図２】
2010150785.tif 000004
【図３】
2010150785.tif 000005
【図４】
2010150785.tif 000006
【図５】
2010150785.tif 000007
【図６】
2010150785.tif 000008
【図７】
2010150785.tif 000009